(57)【要約】【課題】放送波をネットワーク経由で加入者宅へ再送信する優れたシステムを構築する。【解決手段】高度広帯域衛星デジタル放送に用いられる放送再送信装置であって、フレームを含む衛星放送波を受けて復調し、復調データを出力するチューナを備え、前記衛星放送波では、前記フレームの伝送方式として、通常伝送方式と、より耐性の高い階層伝送方式とがあり、前記フレームの伝送方式が前記フレームの境界において切り替わり得るものであり、前記放送再送信装置は、さらに、前記チューナから受けた前記復調データを分析することにより、前記フレームの先頭を検索する検索処理を行うフレーム構成検索部と、前記検索処理の結果に基づいて、前記チューナから受けた前記復調データに含まれるＮＴＰデータを検出するＮＴＰ検出部と、検出結果に応じて前記フレームの伝送方式を切り替える切り替え部とを備える。【選択図】図９
2020088518.tif 000002
【特許請求の範囲】
【請求項１】
高度広帯域衛星デジタル放送に用いられる放送再送信装置であって、
フレームを含む衛星放送波を受けて復調し、復調データを出力するチューナを備え、
前記衛星放送波では、前記フレームの伝送方式として、通常伝送方式と、前記通常伝送方式と比べて耐性の高い階層伝送方式とがあり、前記フレームの伝送方式が前記フレームの境界において切り替わり得るものであり、
前記放送再送信装置は、さらに、
前記チューナから受けた前記復調データを分析することにより、前記フレームの先頭を検索する検索処理を行うフレーム構成検索部と、
前記フレーム構成検索部による前記検索処理の結果に基づいて、前記チューナから受けた前記復調データに含まれるＮＴＰ（Ｎｅｔｗｏｒｋ  Ｔｉｍｅ  Ｐｒｏｔｏｃｏｌ）データを検出するＮＴＰ検出部と、
前記ＮＴＰ検出部による検出結果に応じて前記通常伝送方式および前記階層伝送方式を切り替える切り替え部とを備える、放送再送信装置。
【請求項２】
前記フレーム構成検索部は、前記チューナから受けた前記復調データにおける複数の前記フレームを分析することにより前記検索処理を行う、請求項１に記載の放送再送信装置。
【請求項３】
前記放送再送信装置は、さらに、
前記通常伝送方式における前記フレームを蓄積するための通常伝送用バッファと、
前記階層伝送方式における前記フレームを蓄積するための階層伝送用バッファとを備え、
前記チューナから出力される前記復調データが前記通常伝送用バッファおよび前記階層伝送用バッファに並行して書き込まれ、
前記切り替え部による切り替え対象は、前記通常伝送用バッファおよび前記階層伝送用バッファからの読み出しデータである、請求項１または請求項２に記載の放送再送信装置。
【請求項４】
前記放送再送信装置において、放送の同一性が確保される、請求項１から請求項３のいずれか１項に記載の放送再送信装置。
【請求項５】
高度広帯域衛星デジタル放送に用いられる放送再送信装置における通信制御方法であって、
前記放送再送信装置は、フレームを含む衛星放送波を受けて復調し、復調データを出力するチューナを備え、
前記衛星放送波では、前記フレームの伝送方式として、通常伝送方式と、前記通常伝送方式と比べて耐性の高い階層伝送方式とがあり、前記フレームの伝送方式が前記フレームの境界において切り替わり得るものであり、
前記チューナにより出力された前記復調データを分析することにより、前記フレームの先頭を検索する検索処理を行うステップと、
前記検索処理の結果に基づいて、出力した前記復調データに含まれるＮＴＰデータを検出するステップと、
検出結果に応じて前記通常伝送方式および前記階層伝送方式を切り替えるステップとを含む、通信制御方法。
【発明の詳細な説明】
【技術分野】
【０００１】
本発明は、放送再送信装置および通信制御方法に関する。
【背景技術】
【０００２】
従来、ＭＭＴＰ（ＭＰＥＧ  Ｍｅｄｉａ  Ｔｒａｎｓｐｏｒｔ  Ｐｒｏｔｏｃｏｌ）パケットを用いてコンテンツを伝送する技術が開発されている。
【０００３】
たとえば、一般社団法人  電波産業会、”デジタル放送におけるＭＭＴによるメディアトランスポート方式  ＡＲＩＢ  ＳＴＤ−Ｂ６０  １．９版”、平成２９年３月２４日（非特許文献１）には、ＭＭＴ方式を用いる放送システムが開示されている。
【０００４】
この放送システムでは、音声情報および映像情報等の番組の情報を含むＭＭＴパケットは、ＩＰパケットのペイロードに格納される。ＩＰパケットは、ＴＬＶ（Ｔｙｐｅ  Ｌｅｎｇｔｈ  Ｖａｌｕｅ）パケットのペイロードに格納される。
【先行技術文献】
【非特許文献】
【０００５】
【非特許文献１】一般社団法人  電波産業会、”デジタル放送におけるＭＭＴによるメディアトランスポート方式  ＡＲＩＢ  ＳＴＤ−Ｂ６０  １．９版”、平成２９年３月２４日
【非特許文献２】一般社団法人  電波産業会、”高度広帯域衛星デジタル放送の伝送方式  ＡＲＩＢ  ＳＴＤ−Ｂ４４  ２．１版”、平成２８年３月２５日
【非特許文献３】Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２９年８月２９日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉
【発明の概要】
【発明が解決しようとする課題】
【０００６】
一般社団法人  電波産業会、”高度広帯域衛星デジタル放送の伝送方式  ＡＲＩＢ  ＳＴＤ−Ｂ４４  ２．１版”、平成２８年３月２５日（非特許文献２）に開示されている方式に従う高度広帯域衛星デジタル放送等の放送波を、ネットワーク経由で加入者宅へ再送信する優れたシステムを構築することが可能な技術が望まれる。
【０００７】
この発明は、上述の課題を解決するためになされたもので、その目的は、放送波をネットワーク経由で加入者宅へ再送信する優れたシステムを構築することが可能な放送再送信装置および通信制御方法を提供することである。
【課題を解決するための手段】
【０００８】
（１）上記課題を解決するために、この発明のある局面に係わる放送再送信装置は、高度広帯域衛星デジタル放送に用いられる放送再送信装置であって、フレームを含む衛星放送波を受けて復調し、復調データを出力するチューナを備え、前記衛星放送波では、前記フレームの伝送方式として、通常伝送方式と、前記通常伝送方式と比べて耐性の高い階層伝送方式とがあり、前記フレームの伝送方式が前記フレームの境界において切り替わり得るものであり、前記放送再送信装置は、さらに、前記チューナから受けた前記復調データを分析することにより、前記フレームの先頭を検索する検索処理を行うフレーム構成検索部と、前記フレーム構成検索部による前記検索処理の結果に基づいて、前記チューナから受けた前記復調データに含まれるＮＴＰ（Ｎｅｔｗｏｒｋ  Ｔｉｍｅ  Ｐｒｏｔｏｃｏｌ）データを検出するＮＴＰ検出部と、前記ＮＴＰ検出部による検出結果に応じて前記通常伝送方式および前記階層伝送方式を切り替える切り替え部とを備える。
【０００９】
（５）上記課題を解決するために、この発明のある局面に係わる通信制御方法は、高度広帯域衛星デジタル放送に用いられる放送再送信装置における通信制御方法であって、前記放送再送信装置は、フレームを含む衛星放送波を受けて復調し、復調データを出力するチューナを備え、前記衛星放送波では、前記フレームの伝送方式として、通常伝送方式と、前記通常伝送方式と比べて耐性の高い階層伝送方式とがあり、前記フレームの伝送方式が前記フレームの境界において切り替わり得るものであり、前記チューナにより出力された前記復調データを分析することにより、前記フレームの先頭を検索する検索処理を行うステップと、前記検索処理の結果に基づいて、出力した前記復調データに含まれるＮＴＰデータを検出するステップと、検出結果に応じて前記通常伝送方式および前記階層伝送方式を切り替えるステップとを含む。
【００１０】
本発明は、このような特徴的な処理部を備える放送再送信装置として実現することができるだけでなく、かかる特徴的な処理のステップをコンピュータに実行させるためのプログラムとして実現することができる。また、本発明は、放送再送信装置の一部または全部を実現する半導体集積回路として実現したり、放送再送信装置を含むシステムとして実現したりすることができる。
【発明の効果】
【００１１】
本発明によれば、放送波をネットワーク経由で加入者宅へ再送信する優れたシステムを構築することができる。
【図面の簡単な説明】
【００１２】
【図１】図１は、本発明の実施の形態に係る放送再送信システムの構成を示す図である。
【図２】図２は、本発明の実施の形態に係る放送再送信システムにおいて、放送波によって伝送されるデータのプロトコルスタックの一例を示す図である。
【図３】図３は、本発明の実施の形態に係る放送再送信システムにおいて、放送波によって伝送されるＴＬＶパケットの一例を示す図である。
【図４】図４は、本発明の実施の形態に係る放送再送信システムにおいて伝送されるストリームのフレームの一例を示す図である。
【図５】図５は、本発明の実施の形態に係る放送再送信システムにおける通常伝送方式のフレーム構成の一例を模式的に示す図である。
【図６】図６は、本発明の実施の形態に係る放送再送信システムにおける衛星放送波が異なる地域において受信される様子を示す図である。
【図７】図７は、本発明の実施の形態に係る放送再送信システムにおける階層伝送方式のフレーム構成の一例を模式的に示す図である。
【図８】図８は、本発明の実施の形態に係る放送再送信システムにおける通常伝送方式および階層伝送方式のフレーム構成の他の例を模式的に示す図である。
【図９】図９は、本発明の実施の形態に係る放送再送信システムにおける放送再送信装置の構成を示す図である。
【図１０】図１０は、本発明の実施の形態に係る放送再送信装置が伝送方式の切り替えを行う際の動作手順を定めたフローチャートである。
【発明を実施するための形態】
【００１３】
最初に、本発明の実施形態の内容を列記して説明する。
【００１４】
（１）本発明の実施の形態に係る放送再送信装置は、高度広帯域衛星デジタル放送に用いられる放送再送信装置であって、フレームを含む衛星放送波を受けて復調し、復調データを出力するチューナを備え、前記衛星放送波では、前記フレームの伝送方式として、通常伝送方式と、前記通常伝送方式と比べて耐性の高い階層伝送方式とがあり、前記フレームの伝送方式が前記フレームの境界において切り替わり得るものであり、前記放送再送信装置は、さらに、前記チューナから受けた前記復調データを分析することにより、前記フレームの先頭を検索する検索処理を行うフレーム構成検索部と、前記フレーム構成検索部による前記検索処理の結果に基づいて、前記チューナから受けた前記復調データに含まれるＮＴＰ（Ｎｅｔｗｏｒｋ  Ｔｉｍｅ  Ｐｒｏｔｏｃｏｌ）データを検出するＮＴＰ検出部と、前記ＮＴＰ検出部による検出結果に応じて前記通常伝送方式および前記階層伝送方式を切り替える切り替え部とを備える。
【００１５】
このように、フレームの先頭の検索を行う検索処理とともに、ＮＴＰデータの検出を別途行う構成により、検索処理の遂行に律速されることなく、復調データについて通常伝送方式および階層伝送方式を切り替えることができる。これにより、通常伝送方式および階層伝送方式の切り替えに伴うデータ欠損を防ぐことができる。したがって、放送波をネットワーク経由で加入者宅へ再送信する優れたシステムを構築することができる。
【００１６】
（２）好ましくは、前記フレーム構成検索部は、前記チューナから受けた前記復調データにおける複数の前記フレームを分析することにより前記検索処理を行う。
【００１７】
このように、検索処理に複数フレームの時間を要するフレーム構成検索部を備える構成において、検索処理に律速されることなく、復調データについて通常伝送方式および階層伝送方式を切り替えることができるため、通常伝送方式および階層伝送方式の切り替えに伴うフレーム単位のデータ欠損を防ぐことができる。
【００１８】
（３）より好ましくは、前記放送再送信装置は、さらに、前記通常伝送方式における前記フレームを蓄積するための通常伝送用バッファと、前記階層伝送方式における前記フレームを蓄積するための階層伝送用バッファとを備え、前記チューナから出力される前記復調データが前記通常伝送用バッファおよび前記階層伝送用バッファに並行して書き込まれ、前記切り替え部による切り替え対象は、前記通常伝送用バッファおよび前記階層伝送用バッファからの読み出しデータである。
【００１９】
このような構成により、ＮＴＰデータの検出結果を用いた各バッファからのデータ読み出しの切り替えを、当該検出対象のフレームから切り替え可能な適切なハードウェア構成を実現することができる。
【００２０】
（４）好ましくは、前記放送再送信装置において、放送の同一性が確保される。
【００２１】
このような構成により、放送の同一性を確保する放送再送信装置において、通常伝送方式および階層伝送方式の切り替えに伴うデータ欠損を防ぐことができる。
【００２２】
（５）本発明の実施の形態に係る通信制御方法は、高度広帯域衛星デジタル放送に用いられる放送再送信装置における通信制御方法であって、前記放送再送信装置は、フレームを含む衛星放送波を受けて復調し、復調データを出力するチューナを備え、前記衛星放送波では、前記フレームの伝送方式として、通常伝送方式と、前記通常伝送方式と比べて耐性の高い階層伝送方式とがあり、前記フレームの伝送方式が前記フレームの境界において切り替わり得るものであり、前記チューナにより出力された前記復調データを分析することにより、前記フレームの先頭を検索する検索処理を行うステップと、前記検索処理の結果に基づいて、出力した前記復調データに含まれるＮＴＰデータを検出するステップと、検出結果に応じて前記通常伝送方式および前記階層伝送方式を切り替えるステップとを含む。
【００２３】
このように、フレームの先頭の検索を行う検索処理とともに、ＮＴＰデータの検出を別途行う構成により、検索処理の遂行に律速されることなく、復調データについて通常伝送方式および階層伝送方式を切り替えることができる。これにより、通常伝送方式および階層伝送方式の切り替えに伴うデータ欠損を防ぐことができる。したがって、放送波をネットワーク経由で加入者宅へ再送信する優れたシステムを構築することができる。
【００２４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２５】
図１は、本発明の実施の形態に係る放送再送信システムの構成を示す図である。
【００２６】
図１を参照して、放送再送信システム３０１は、放送再送信装置１０１と、加入者網１０と、複数のＳＴＢ（Ｓｅｔ  Ｔｏｐ  Ｂｏｘ）１３１とを備える。ＳＴＢ１３１は、ＴＶモニタ１３３に接続されている。
【００２７】
なお、放送再送信システム３０１は、複数のＳＴＢ１３１を備える構成に限らず、１つのＳＴＢ１３１を備える構成であってもよい。
【００２８】
放送再送信装置１０１は、たとえば、ケーブルテレビ放送を提供する事業者の局舎１５１に設けられる。ＳＴＢ１３１およびＴＶモニタ１３３は、加入者宅１５２に設けられる。
【００２９】
放送再送信装置１０１には、たとえば、外部アンテナ８１が接続されている。放送再送信装置１０１は、たとえばストリームを含む放送波を受信する。
【００３０】
ストリームは、番組の情報等を含む。番組の情報は、たとえば、音声情報、映像情報、ＥＰＧ（Ｅｌｅｃｔｒｏｎｉｃ  Ｐｒｏｇｒａｍ  Ｇｕｉｄｅ）情報、ＳＩ情報（Ｓｅｒｖｉｃｅ  Ｉｎｆｏｒｍａｔｉｏｎ）および字幕情報等を含む。
【００３１】
音声情報および映像情報は、たとえば、所定の方式に従って、圧縮および暗号化が施されている。
【００３２】
放送再送信装置１０１は、たとえば、放送局からのストリームを中継するための、図示しない高度広帯域衛星デジタル放送用の放送衛星から送信された放送波である衛星放送波を外部アンテナ８１経由で受信する。
【００３３】
図２は、本発明の実施の形態に係る放送再送信システムにおいて、放送波によって伝送されるデータのプロトコルスタックの一例を示す図である。図２では、ＴＬＶパケットを用いるプロトコルスタックが示されている。
【００３４】
図２を参照して、ＴＬＶパケットは、たとえば、２１６０ｐまたは４３２０ｐ等の規格に従う、４Ｋ  ＵＨＤＴＶ（Ｕｌｔｒａ  Ｈｉｇｈ  Ｄｅｆｉｎｉｔｉｏｎ  Ｔｅｌｅｖｉｓｉｏｎ）または８Ｋ  ＵＨＤＴＶ等の送信に用いられることが多い。
【００３５】
図２に示す例では、放送波は、たとえば、ＴＭＣＣ（Ｔｒａｎｓｍｉｓｓｉｏｎ＆Ｍｕｌｔｉｐｌｅｘｉｎｇ  Ｃｏｎｆｉｇｕｒａｔｉｏｎ  Ｃｏｎｔｒｏｌ）情報、ＡＣ情報およびＴＬＶパケットを含む。
【００３６】
図３は、本発明の実施の形態に係る放送再送信システムにおいて、放送波によって伝送されるＴＬＶパケットの一例を示す図である。図３には、データ種別を示す情報が格納されたヘッダを有するパケットの一例である、Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２９年１０月１２日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉（非特許文献３）の規格に従うＴＬＶパケットのフォーマットが示されている。
【００３７】
ＴＬＶパケットは、ＴＬＶヘッダと、ＴＬＶペイロードとを含む。ＴＬＶヘッダは、「０１」の値が格納された「スタートコード」のフィールド、「将来予約」のフィールド、「パケットタイプ」のフィールド、および「長さ」のフィールドを含み、これらのフィールドの長さは、それぞれ２ビット、６ビット、８ビットおよび１６ビットである。
【００３８】
「パケットタイプ」のフィールドには、「０ｘ０１」、「０ｘ０２」、「０ｘ０３」または「０ｘＦＦ」等の値が格納される。ここで、「０ｘ」で始まる数字は、「０ｘ」以降の数字が１６進数で表されていることを意味する。
【００３９】
「パケットタイプ」のフィールドにおいて「０ｘ０１」が格納される場合、ＴＬＶパケット６１は、ＴＬＶペイロードにおいて、「長さ」のフィールドに格納された値の総データ長となるＩＰｖ４パケットを含む。
【００４０】
また、「パケットタイプ」のフィールドにおいて「０ｘ０２」が格納される場合、ＴＬＶパケット６２は、ＴＬＶペイロードにおいて、「長さ」のフィールドに格納された値の総データ長となるＩＰｖ６パケットを含む。
【００４１】
また、「パケットタイプ」のフィールドにおいて「０ｘ０３」が格納される場合、ＴＬＶパケット６３は、ＴＬＶペイロードにおいて、「長さ」のフィールドに格納された値の総データ長となるＩＰパケットを含む。圧縮ＩＰパケットは、たとえばＩＰヘッダが圧縮されたＩＰパケットである。
【００４２】
また、「パケットタイプ」のフィールドにおいて「０ｘＦＦ」が格納される場合、ＴＬＶパケット６４は、ＴＬＶペイロードにおいて、「長さ」のフィールドに格納された値の総データ長となるヌルデータを含む。以下、ＴＬＶペイロードにおいてヌルデータを含むＴＬＶパケットを、ＴＬＶヌルパケットとも称する。
【００４３】
再び図２を参照して、たとえば、時刻同期用のＮＴＰ（Ｎｅｔｗｏｒｋ  Ｔｉｍｅ  Ｐｒｏｔｏｃｏｌ）データ、ＩＰ−ＳＩデータ、時刻情報、ＭＭＴパケット、またはデータ伝送方式は、ＵＤＰ（Ｕｓｅｒ  Ｄａｔａｇｒａｍ  Ｐｒｏｔｏｃｏｌ）／ＩＰパケットに格納される。ＭＭＴパケットには、映像情報、音声情報、ＭＭＴ−ＳＩデータ、および他の情報が格納される。
【００４４】
ＴＬＶパケット６１〜６３（以下、ＴＬＶ情報パケットとも称する。）は、このようなＵＤＰ／ＩＰパケットを格納する。
【００４５】
また、衛星放送波において、フレームを構成する１または複数のストリームが含まれることが規定されている。衛星放送波を用いて、フレームの構造を維持したままストリームの伝送が行われることにより、複数のストリームを効率良く伝送することができる。
【００４６】
フレームには、最大で１６の放送局の番組にそれぞれ対応する複数のストリームを含めることが可能である。各ストリームは、たとえばＴＬＶパケットにおけるＭＭＴパケットに含まれる伝送ストリームＩＤを用いることにより区別される。
【００４７】
図４は、本発明の実施の形態に係る放送再送信システムにおいて伝送されるストリームのフレームの一例を示す図である。図４には、非特許文献２に記載の規格に従うフレームの構造が示されている。
【００４８】
図４は、１つのフレームが３つの放送局の番組にそれぞれ対応する３つのストリームを含む場合を示す。
【００４９】
図４を参照して、フレームは、１２０個のスロットにより構成される。すなわち、１つのストリームには、たとえば４０個のスロットが割り当てられる。たとえば、ストリーム番号ＳＮ１のストリームＳＴ１には、スロット１からスロット４０が割り当てられ、ストリーム番号ＳＮ２のストリームＳＴ２には、スロット４１からスロット８０が割り当てられ、ストリーム番号ＳＮ３のストリームＳＴ３には、スロット８１からスロット１２０が割り当てられる。
【００５０】
スロットには、ストリームが分割されて格納される。また、フレームの時間の長さは、３３ミリ秒である。
【００５１】
スロットは、先頭から順に、４４８８０ビットの復調データと、１６００ビットのＴＭＣＣ情報とを含む。
【００５２】
復調データは、先頭から順に、スロットヘッダ、主信号、ＢＣＨ符号パリティ、スタッフビットおよびＬＤＰＣ（Ｌｏｗ  Ｄｅｎｓｉｔｙ  Ｐａｒｉｔｙ  Ｃｈｅｃｋ）符号パリティのフィールドで構成されている。
【００５３】
スロットヘッダのデータ長は、１７６ビットである。
【００５４】
主信号のデータ長は、可変長である。主信号のフィールドには、１または複数の分割されたＴＬＶパケット等が格納される。
【００５５】
ＴＬＶパケットには、当該ＴＬＶパケットがストリームの最初のＴＬＶパケットである場合、ＮＴＰデータが含まれる。具体的には、たとえば、ストリームＳＴ１の最初のＴＬＶパケットには、ＮＴＰデータＮＴＰ＿１が含まれ、ストリームＳＴ２の最初のＴＬＶパケットには、ＮＴＰデータＮＴＰ＿２が含まれ、ストリームＳＴ３の最初のＴＬＶパケットには、ＮＴＰデータＮＴＰ＿３が含まれる。
【００５６】
復調データがＴＬＶパケットを含む場合、スロットヘッダの先頭から１６ビットは、先頭ＴＬＶ指示を示す。
【００５７】
先頭ＴＬＶ指示は、各スロットの主信号における最初のＴＬＶパケットの先頭ヘッダの位置を、主信号のフィールドの先頭からのバイト数で示したものである。
【００５８】
ＢＣＨ符号パリティのデータ長は、１９２ビットである。スタッフビットのデータ長は、６ビットである。ＬＤＰＣ符号パリティのデータ長は、可変長である。
【００５９】
ＴＭＣＣ情報は、先頭から順に、２８０ビットの固定長の基本ＴＭＣＣ情報のフィールドと、１３２０ビットの固定長の伝送ＴＭＣＣ情報等が格納されるフィールドとで構成される。
【００６０】
基本ＴＭＣＣ情報のフィールドは、先頭から順に、１２０ビットの固定長の同期信号のフィールドと、１６０ビットの固定長の信号点配置情報のフィールドとを含む。
【００６１】
ＴＭＣＣ情報は、複数のスロットに分割されて格納される。より詳細には、同期信号は、２４スロットにわたり格納される。信号点配置情報は、変調方式の組み合わせに応じて２４スロット〜１２０スロットにわたり格納される。
【００６２】
また、１３２０ビット×７スロットの９２４０ビットと８スロット目の１８２ビットを足し合わせた９４２２ビットの伝送ＴＭＣＣ情報に、ＢＣＨ符号パリティ１９２ビットおよびＬＤＰＣ符号パリティ２２０６６ビットを付加した３１６８０ビットの情報が、２４スロットにわたり格納される。
【００６３】
再び図１を参照して、放送再送信装置１０１は、放送波から番組の情報を取得し、取得した番組の情報を含む放送波を加入者網１０を介して各加入者宅１５２へ送信する。
【００６４】
ＳＴＢ１３１は、たとえば、放送再送信装置１０１から送信される放送波を加入者網１０を介して受信する。
【００６５】
ＳＴＢ１３１は、放送再送信装置１０１からの放送波を受信すると、受信した放送波から番組の情報を取得し、取得した番組の情報に基づいて音声情報および映像情報をデコードし、デコード後の音声情報および映像情報をＴＶモニタ１３３へ送信する。
【００６６】
ＴＶモニタ１３３は、ＳＴＢ１３１から受信した音声情報および映像情報に基づいて番組を再生する。
【００６７】
［階層伝送］
高度広帯域衛星デジタル放送用の衛星放送波では、フレームの伝送方式として、通常伝送方式と、通常伝送方式と比べて耐性の高い階層伝送方式とがある。
【００６８】
図５は、本発明の実施の形態に係る放送再送信システムにおける通常伝送方式のフレーム構成の一例を模式的に示す図である。
【００６９】
図５を参照して、４Ｋ  ＵＨＤＴＶにおける通常伝送方式では、非特許文献２に記載の規格に従い、フレームの先頭から順に、３つの放送局の番組にそれぞれ対応する、１６ＡＰＳＫ（Ａｍｐｌｉｔｕｄｅ  ａｎｄ  Ｐｈａｓｅ  Ｓｈｉｆｔ  Ｋｅｙｉｎｇ）で変調されたストリームＳＴ１、１６ＡＰＳＫで変調されたストリームＳＴ２および１６ＡＰＳＫで変調されたストリームＳＴ３が当該フレームに格納される。ストリームＳＴ１，ＳＴ２，ＳＴ３の各々の最初のスロットにおける先頭のＴＬＶパケットには、それぞれ、ＮＴＰデータＮＴＰ＿１、ＮＴＰデータＮＴＰ＿２およびＮＴＰデータＮＴＰ＿３が含まれる。
【００７０】
以下、説明を簡単にするために、スロットヘッダの存在は無視して、ストリームの最初のスロットにおける先頭のＴＬＶパケットをストリームの先頭とも称し、フレームの最初のスロットにおける先頭のＴＬＶパケットをフレームの先頭とも称する場合がある。
【００７１】
ここで、通常伝送方式において採用されている１６ＡＰＳＫでは、たとえば、悪天候時にチューナ等において衛星放送波を受信することが困難となる場合がある。
【００７２】
図６は、本発明の実施の形態に係る放送再送信システムにおける衛星放送波が異なる地域において受信される様子を示す図である。
【００７３】
図６を参照して、たとえば、地域Ａにおける天候は晴れであり、地域Ｂにおける天候は大雨である。
【００７４】
たとえば、地域Ａに設けられた図示しないチューナ等は、外部アンテナ８１経由で、図示しない放送衛星から送信された通常伝送方式に従う衛星放送波を安定して受信することができる。
【００７５】
一方、地域Ｂに設けられた図示しないチューナ等は、外部アンテナ８１経由で、通常伝送方式に従う上記衛星放送波を安定して受信することが困難である。
【００７６】
そこで、悪天候時において、たとえば、衛星放送波において階層伝送方式を採用することが考えられる。階層伝送方式において採用されているＱＰＳＫ（Ｑｕａｄｒａｔｕｒｅ  Ｐｈａｓｅ  Ｓｈｉｆｔ  Ｋｅｙｉｎｇ）は、１６ＡＰＳＫと比べてノイズ耐性が高い。このため、ＱＰＳＫを用いる場合、悪天候時にチューナ等において衛星放送波をより安定して受信することができる。
【００７７】
図７は、本発明の実施の形態に係る放送再送信システムにおける階層伝送方式のフレーム構成の一例を模式的に示す図である。
【００７８】
図７を参照して、４Ｋ  ＵＨＤＴＶにおける階層伝送方式では、非特許文献２に記載の規格に従い、フレームの先頭から順に、３つの放送局の番組にそれぞれ対応する、ストリームＳＴ１のうちの１６ＡＰＳＫで変調された３５スロット（以下、高階層ストリームとも称する。）、１６ＡＰＳＫで変調されたストリームＳＴ２、１６ＡＰＳＫで変調されたストリームＳＴ３、およびストリームＳＴ１のうちのＱＰＳＫで変調された他の５スロット（以下、低階層ストリームとも称する。）が当該フレームに格納される。ストリームＳＴ２およびストリームＳＴ３の先頭には、それぞれ、ＮＴＰデータＮＴＰ＿２およびＮＴＰデータＮＴＰ＿３が含まれる。低階層ストリームの先頭には、ＮＴＰデータＮＴＰ＿１が含まれる。
【００７９】
高階層ストリームには、たとえば、ストリームＳＴ１に含まれる番組の情報のうち、映像情報が含まれ、音声情報およびＮＴＰデータ等が含まれない。
【００８０】
低階層ストリームには、高階層ストリームと同じ番組の情報が含まれる。より詳細には、低階層ストリームには、伝送可能な情報量が小さくなるため、高階層ストリームに含まれる映像情報より低品質または縮小された映像の映像情報が含まれる。また、低階層ストリームには、ストリームＳＴ１に含まれる番組の情報のうち、音声情報およびＮＴＰデータ等が含まれる。
【００８１】
フレームの伝送方式は、フレームの境界において切り替わり得る。より詳細には、図６に示す地域Ｂにおいて天候が大雨に変化した場合、高度広帯域衛星デジタル放送を提供する事業者は、放送衛星へ送信する放送波におけるフレームの境界において、伝送方式を通常伝送方式から階層伝送方式に切り替える。切り替え後の放送波は、放送衛星経由で地域Ａおよび地域Ｂへ送信される。
【００８２】
これにより、悪天候時の地域Ｂにおいて、たとえば、チューナ等が、階層伝送方式に従う衛星放送波に含まれる低階層ストリームを安定して受信することができる。すなわち、悪天候時の地域Ｂにおいて、高度広帯域衛星デジタル放送の番組の視聴継続が可能になる。
【００８３】
図８は、本発明の実施の形態に係る放送再送信システムにおける通常伝送方式および階層伝送方式のフレーム構成の他の例を模式的に示す図である。
【００８４】
図８を参照して、８Ｋ  ＵＨＤＴＶにおける通常伝送方式では、非特許文献２に記載の規格に従い、１６ＡＰＳＫで変調されたストリームＳＴ１がフレームに格納される。ストリームＳＴ１の先頭には、ＮＴＰデータＮＴＰ＿１が含まれる。
【００８５】
８Ｋ  ＵＨＤＴＶにおける階層伝送方式では、非特許文献２に記載の規格に従い、フレームの先頭から順に、ストリームＳＴ１のうち、１６ＡＰＳＫで変調された１００スロットおよびＱＰＳＫで変調された２０スロットが当該フレームに格納される。ＱＰＳＫで変調された２０スロットの先頭には、ＮＴＰデータＮＴＰ＿１が含まれる。
【００８６】
［課題］
高度広帯域衛星デジタル放送用の衛星放送波の再送信を行う場合、フレームの内容の変更が禁止されている、すなわち放送の同一性を確保することが要求されることから、衛星放送波の伝送方式の切り替え時においても放送の同一性を確保しながら衛星放送波の再送信を行う必要がある。
【００８７】
しかしながら、たとえば、フレームのスロット構成を分析して衛星放送波の再送信を行う構成において、衛星放送波の伝送方式が切り替わってスロット構成が変更されると、スロット構成の再分析を要する。このため、分析が完了するまでの間、衛星放送波の再送信ができなくなる場合がある。
【００８８】
この場合、送信される放送波が、本来問題のない地域においても停止し、高度広帯域衛星デジタル放送の番組の視聴継続が困難となる。
【００８９】
これに対して、本発明の実施の形態に係る放送再送信システムでは、以下のような構成および動作により、上記課題を解決する。
【００９０】
［放送再送信装置］
図９は、本発明の実施の形態に係る放送再送信システムにおける放送再送信装置の構成を示す図である。
【００９１】
図９を参照して、放送再送信装置１０１は、チューナ１１と、ＮＴＰ検出部１２と、ストリーム生成部１５と、放送波生成部１６と、クロック再生部１７と、ＶＣＯ（Ｖｏｌｔａｇｅ−Ｃｏｎｔｒｏｌｌｅｄ  Ｏｓｃｉｌｌａｔｏｒ）１８と、フレーム構成検索部１９とを備える。ストリーム生成部１５は、切り替え部１３と、通常伝送用バッファ２２と、階層伝送用バッファ２３と、クロック調整用バッファ２４とを含む。切り替え部１３は、スイッチ３１を有する。
【００９２】
通常伝送用バッファ２２は、通常伝送方式におけるフレームを蓄積する。より詳細には、通常伝送用バッファ２２は、たとえば、通常伝送方式におけるフレームのデータ量に応じた量のデータを蓄積する。
【００９３】
階層伝送用バッファ２３は、階層伝送方式におけるフレームを蓄積する。より詳細には、階層伝送用バッファ２３は、たとえば、階層伝送方式におけるフレームのデータ量に応じた量のデータを蓄積する。
【００９４】
クロック調整用バッファ２４は、通常伝送用バッファ２２から読み出された１または複数のフレームまたは階層伝送用バッファ２３から読み出された１または複数のフレームを蓄積する。
【００９５】
ＶＣＯ１８は、基準クロックを生成する。より詳細には、ＶＣＯ１８は、３３．７５７１メガヘルツを含む所定の周波数範囲において、クロック再生部１７から受ける電圧の大きさに応じた周波数を有するクロックを生成することが可能である。
【００９６】
たとえば、チューナ１１は、フレームを含む衛星放送波を受けて復調し、当該衛星放送波に含まれるフレームの一部または全部を含む復調データを出力する。
【００９７】
より詳細には、チューナ１１は、高度広帯域衛星デジタル放送用の放送衛星から送信された番組の情報等を含む衛星放送波を外部アンテナ８１経由で受信し、受信した衛星放送波に含まれるストリームを取得する。
【００９８】
放送再送信システム３０１における衛星放送波は、たとえば、上述の、番組の情報を含むＴＬＶパケットであるＴＬＶ番組パケット、および協定世界時を用いて装置間における時刻合わせを行うための時刻合わせ情報等を含み、かつＭＭＴ方式に従う。ＮＴＰデータは、時刻合わせ情報の一例である。
【００９９】
具体的には、チューナ１１は、受信した衛星放送波を復調してデジタル信号に変換する。そして、チューナ１１は、当該デジタル信号に基づいて、ＴＬＶ番組パケット、時刻合わせ情報、およびＴＭＣＣ情報の一部または全部等を含む復調データを生成し、生成した復調データをストリーム生成部１５、ＮＴＰ検出部１２およびフレーム構成検索部１９へ出力する。
【０１００】
また、チューナ１１は、たとえば、復調データに対応するクロックをストリーム生成部１５およびフレーム構成検索部１９へ出力する。
【０１０１】
なお、チューナ１１は、たとえば、取得したストリームのうちの一部または全部を記憶部２１に保存してもよい。
【０１０２】
また、チューナ１１は、通常伝送方式に従う衛星放送波および階層伝送方式に従う衛星放送波を判別して復調可能であり、かつ通常伝送方式および階層伝送方式の判別結果を出力しない。
【０１０３】
［フレーム構成検索］
フレーム構成検索部１９は、チューナ１１から受けた復調データを分析することにより、フレームの先頭を検索する検索処理を行う。
【０１０４】
より詳細には、フレーム構成検索部１９は、受信された衛星放送波に含まれるフレームのタイミングを検出する。たとえば、フレーム構成検索部１９は、チューナ１１から受けた復調データに基づいて、フレームのタイミングを検出する。
【０１０５】
具体的には、フレーム構成検索部１９は、チューナ１１から受けた復調データにおけるフレームに含まれるＮＴＰデータおよび伝送ストリームＩＤに基づいて、当該復調データにおけるフレームの先頭タイミングを検出する。
【０１０６】
通常伝送方式におけるフレームに含まれる最初のＴＬＶパケットには、ＮＴＰデータが含まれる。フレーム構成検索部１９は、ＮＴＰデータを検出すると、検出したＮＴＰデータが含まれるＴＬＶパケットにおけるＭＭＴパケットを参照することにより、当該ＴＬＶパケットの伝送ストリームＩＤを取得する。
【０１０７】
そして、フレーム構成検索部１９は、上記ＭＭＴパケットに含まれる、伝送ストリームＩＤとフレームに含まれる複数のストリームの番号との対応関係を示すＭＨ−ＳＤＴ（ＭＨ−Ｓｅｒｖｉｃｅ  Ｄｅｓｃｒｉｐｔｉｏｎ  Ｔａｂｌｅ：ＭＨサービス記述テーブル）を用いて、取得した伝送ストリームＩＤがフレームにおけるいずれのストリーム番号に対応しているかを照合する。
【０１０８】
フレーム構成検索部１９は、取得した伝送ストリームＩＤがフレームにおけるストリーム番号ＳＮ１のストリームすなわちストリームＳＴ１であった場合、ストリームＳＴ１の先頭のＴＬＶパケットにおけるＮＴＰデータＮＴＰ＿１が含まれるスロットのスロットヘッダをフレームの先頭であると判断し、フレームの先頭のタイミングを示す情報ＴＩ１をストリーム生成部１５、クロック再生部１７およびＮＴＰ検出部１２へ出力する。
【０１０９】
そして、フレーム構成検索部１９は、チューナ１１から受けた復調データに含まれるフレームの時間の長さを計測する。より詳細には、フレーム構成検索部１９は、チューナ１１から受けるクロックのパルスの数を、判断したスロットヘッダの先頭からカウントする。
【０１１０】
たとえば、フレーム構成検索部１９は、チューナ１１から受けた復調データにおける複数のフレームを分析することにより検索処理を行う。
【０１１１】
より詳細には、フレーム構成検索部１９は、カウントを開始したフレームの次のフレームの先頭を検出すると、クロックのカウントを停止し、現在のカウント値Ｖ１を取得する。そして、フレーム構成検索部１９は、クロックのカウント値をゼロにリセットしてカウントを再開する。
【０１１２】
そして、フレーム構成検索部１９は、さらに次のフレームの先頭を検出してカウント値Ｖ１を取得し、取得したカウント値Ｖ１が前回のカウント値Ｖ１と同じである場合、当該カウント値Ｖ１をフレームの長さであると判断し、検索処理済を示す情報Ｒ１をストリーム生成部１５へ出力する。
【０１１３】
そして、フレーム構成検索部１９は、クロックのカウント値をゼロにリセットしてカウントを再開し、クロックのカウント値がカウント値Ｖ１に到達したタイミングにおける次スロットのスロットヘッダをフレームの先頭であると判断し、情報ＴＩ１をストリーム生成部１５、クロック再生部１７およびＮＴＰ検出部１２へ出力する。
【０１１４】
以降、フレーム構成検索部１９は、クロックのカウント値をゼロにリセットしてカウントを再開し、クロックのカウント値がカウント値Ｖ１に到達するごとに情報ＴＩ１をストリーム生成部１５、クロック再生部１７およびＮＴＰ検出部１２へ出力する。
【０１１５】
このように、フレーム構成検索部１９は、チューナ１１からの復調データにおいて時間的に連続する複数のフレームを分析することにより検索処理を行う。
【０１１６】
また、フレーム構成検索部１９は、検索処理によってフレームの先頭タイミングを検出した後は、フレームの先頭におけるＮＴＰデータを用いることなく、フレームの先頭のタイミングを示す情報ＴＩ１をＮＴＰ検出部１２へ出力する。これにより、ＮＴＰ検出部１２は、たとえば、伝送方式が通常伝送方式から階層伝送方式へ切り替わったときのフレームにおいて、後述するＮＴＰデータが含まれるスロットの特定を行うことができる。
【０１１７】
なお、フレーム構成検索部１９は、取得した最初のカウント値Ｖ１および２番目のカウント値Ｖ１に基づいて当該カウント値Ｖ１をフレームの長さであると判断する構成であるとしたが、これに限らず、カウントを開始したフレームを１番目とした３番目以降の１または複数のカウント値Ｖ１に基づいて、当該カウント値Ｖ１をフレームの長さであると判断する構成であってもよい。具体的には、フレーム構成検索部１９は、たとえば、最初のカウント値Ｖ１、２番目のカウント値Ｖ１および３番目以降の１または複数のカウント値Ｖ１が一致した場合、当該カウント値Ｖ１をフレームの長さであると判断する。
【０１１８】
［クロック再生］
クロック再生部１７は、フレーム構成検索部１９によって検出されたフレームのタイミングに基づいて、衛星放送波に含まれるクロックを再生する。
【０１１９】
より詳細には、クロック再生部１７は、フレーム構成検索部１９から情報ＴＩ１を受けて、ＶＣＯ１８から受けるクロックのパルスのカウントを開始する。
【０１２０】
そして、クロック再生部１７は、フレーム構成検索部１９から次の情報ＴＩ１を受けると、カウントを停止し、現在のカウント値Ｖ２を取得する。そして、クロック再生部１７は、カウント値をゼロにリセットしてカウントを再開する。
【０１２１】
クロック再生部１７は、取得したカウント値Ｖ２に基づいて、ＶＣＯ１８の発振周波数を調整するためのＶＣＯ１８への出力電圧の大きさを決定する。
【０１２２】
より詳細には、クロック再生部１７は、ＶＣＯ１８が出力するクロックのパルスを１１１５５２０カウントすることにより、フレームが３３ミリ秒より長いか否かを判断し、判断結果に基づいて、ＶＣＯ１８の発振周波数を調整するためのＶＣＯ１８への出力電圧の大きさを決定する。
【０１２３】
具体的には、クロック再生部１７は、たとえば、取得したクロックのカウント値Ｖ２が１１１５５２０より大きい場合、ＶＣＯ１８における発振周波数が小さくなるようにＶＣＯ１８への出力電圧の大きさを決定する。
【０１２４】
また、クロック再生部１７は、たとえば、取得したクロックのカウント値Ｖ２が１１１５５２０より小さい場合、ＶＣＯ１８における発振周波数が大きくなるようにＶＣＯ１８への出力電圧の大きさを決定する。
【０１２５】
なお、クロック再生部１７は、情報ＴＩ１を複数回受けるまでクロックのパルスをカウントし、カウント値に基づいてＶＣＯ１８の発振周波数を調整してもよい。
【０１２６】
このように、クロック再生部１７は、上述のようなクロックの周波数の調整を行うことにより、衛星放送波に含まれるクロックを再生する。
【０１２７】
ＶＣＯ１８は、クロック再生部１７から受けた電圧の大きさに応じた周波数のクロックを出力する。
【０１２８】
［伝送方式の切り替え］
ストリーム生成部１５は、受信された衛星放送波に含まれるストリームを生成して、通常伝送用バッファ２２および階層伝送用バッファ２３に蓄積する。
【０１２９】
たとえば、ストリーム生成部１５は、チューナ１１から受けた復調データに一部または全部が含まれるストリームを生成する。
【０１３０】
より詳細には、ストリーム生成部１５は、たとえば、チューナ１１からフレームの一部を含む復調データ、たとえばＴＭＣＣ情報が含まれない復調データを受けた場合、当該復調データを保持する。
【０１３１】
そして、ストリーム生成部１５は、たとえば、チューナ１１によって保存されたストリームのうちの一部のデータをチューナ１１における記憶部２１から読み出し、読み出した当該一部のデータおよび保持した復調データを合わせることにより、ストリームを含むフレームを生成する。
【０１３２】
ストリーム生成部１５は、フレーム構成検索部１９から検索処理済を示す情報Ｒ１を受けた後の最初の情報ＴＩ１を受けて、生成したフレームの通常伝送用バッファ２２および階層伝送用バッファ２３への書き込みを開始する。
【０１３３】
ストリーム生成部１５は、たとえば、衛星放送波に含まれるクロックすなわちチューナ１１から受けたクロックを用いて、３３．７５６１Ｍｂａｕｄのシンボルレートすなわち３３ミリ秒あたり１１１５５２０シンボルを、フレームに含まれるＴＭＣＣ情報の変調方式に応じたビットレートで通常伝送用バッファ２２および階層伝送用バッファ２３に並行して書き込む。
【０１３４】
あるいは、ストリーム生成部１５は、たとえば、チューナ１１から出力されたフレームの全部、すなわちストリームの全部を含む復調データを受けた場合、当該フレームを通常伝送用バッファ２２および階層伝送用バッファ２３に並行して書き込む。
【０１３５】
［ＮＴＰデータ検出］
ＮＴＰ検出部１２は、フレーム構成検索部１９による検索処理の結果に基づいて、チューナ１１から受けた復調データに含まれるＮＴＰデータを検出する。
【０１３６】
より詳細には、ＮＴＰ検出部１２は、チューナ１１から受けた復調データと、フレーム構成検索部１９から受けた、フレームの先頭のタイミングを示す情報ＴＩ１とに基づいて、フレームにおけるＮＴＰデータの位置がフレームの先頭であるか否かを判定する。
【０１３７】
具体的には、ＮＴＰ検出部１２は、たとえば、フレーム構成検索部１９からある情報ＴＩ１を受けてから次の情報ＴＩ１を受けるまでの、チューナ１１から受ける復調データに含まれるスロットヘッダの数のカウントを開始する。
【０１３８】
そして、ＮＴＰ検出部１２は、ある情報ＴＩ１を受けた後において、チューナ１１から受けた復調データに含まれる最初のＮＴＰデータを検出した場合、スロットヘッダの数の現在のカウント値Ｖ３を取得し、取得したカウント値Ｖ３に基づいて、検出したＮＴＰデータが含まれるスロットを特定する。
【０１３９】
より詳細には、ＮＴＰ検出部１２は、たとえば、取得したカウント値Ｖ３が１である場合、検出したＮＴＰデータ、この場合ＮＴＰデータＮＴＰ＿１が含まれるスロットがスロット１すなわちフレームの先頭であると判定する。
【０１４０】
また、ＮＴＰ検出部１２は、たとえば、取得したカウント値Ｖ３が２以上である場合、検出したＮＴＰデータが含まれるスロットがスロット１以外すなわちフレームの先頭以外のスロットであると判定する。
【０１４１】
そして、ＮＴＰ検出部１２は、切り替え部１３におけるスイッチ３１を制御するための制御信号を切り替え部１３へ出力する。
【０１４２】
より詳細には、ＮＴＰ検出部１２は、フレームにおけるＮＴＰデータの位置がフレームの先頭であるか否かに応じて、ハイレベルまたはローレベルの制御信号を切り替え部１３へ出力する。
【０１４３】
具体的には、ＮＴＰ検出部１２は、フレームにおけるＮＴＰデータの位置がフレームの先頭である場合、ハイレベルの制御信号を切り替え部１３へ出力し、フレームにおけるＮＴＰデータの位置がフレームの先頭以外のスロットである場合、ローレベルの制御信号を切り替え部１３へ出力する。
【０１４４】
このように、フレーム構成検索部１９によるフレームの先頭の検索を行う検索処理とともに、ＮＴＰ検出部１２がＮＴＰデータの検出を別途行う構成により、検索処理の遂行に律速されることなく、復調データにおけるフレームの構成が通常伝送方式に従う構成であるか、または階層伝送方式に従う構成であるかを判別することができる。
【０１４５】
切り替え部１３は、ＮＴＰ検出部１２による検出結果に応じて通常伝送方式および階層伝送方式を切り替える。
【０１４６】
たとえば、切り替え部１３による切り替え対象は、通常伝送用バッファ２２および階層伝送用バッファ２３からの読み出しデータである。
【０１４７】
より詳細には、切り替え部１３におけるスイッチ３１は、通常伝送用バッファ２２とクロック調整用バッファ２４との間かつ階層伝送用バッファ２３とクロック調整用バッファ２４との間に接続されている。
【０１４８】
スイッチ３１は、ＮＴＰ検出部１２から受けた制御信号に従い、クロック調整用バッファ２４を通常伝送用バッファ２２に接続するか、または階層伝送用バッファ２３に接続するかを切り替える。
【０１４９】
具体的には、スイッチ３１は、たとえば、ハイレベルの制御信号をＮＴＰ検出部１２から受けた場合、クロック調整用バッファ２４と通常伝送用バッファ２２とを接続する。
【０１５０】
これにより、通常伝送用バッファ２２に蓄積されたフレームがクロック調整用バッファ２４へ出力される。
【０１５１】
より詳細には、ストリーム生成部１５は、たとえば、衛星放送波に含まれるクロックすなわちチューナ１１から受けたクロックを用いて、通常伝送用バッファ２２に蓄積されたフレームを読み出し、読み出したフレームをスイッチ３１経由でクロック調整用バッファ２４へ出力し、蓄積する。
【０１５２】
また、スイッチ３１は、たとえば、ローレベルの制御信号をＮＴＰ検出部１２から受けた場合、クロック調整用バッファ２４と階層伝送用バッファ２３とを接続する。
【０１５３】
これにより、階層伝送用バッファ２３に蓄積されたフレームがクロック調整用バッファ２４へ出力される。
【０１５４】
より詳細には、ストリーム生成部１５は、たとえば、衛星放送波に含まれるクロックすなわちチューナ１１から受けたクロックを用いて、階層伝送用バッファ２３に蓄積されたフレームを読み出し、読み出したフレームをスイッチ３１経由でクロック調整用バッファ２４へ出力し、蓄積する。
【０１５５】
ここで、仮に、伝送方式が通常伝送方式から階層伝送方式へ切り替わった際にフレーム構成検索部１９によるフレームの先頭の再検索を行った場合、再検索が完了するまで通常伝送用バッファ２２および階層伝送用バッファ２３にフレームを書き込むことができないことから、データの欠損が生じる。
【０１５６】
これに対して、ＮＴＰ検出部１２が、ＮＴＰデータが含まれるスロットをフレームごとに特定してスイッチ３１を制御する構成により、通常伝送方式におけるフレームおよび階層伝送方式におけるフレームにそれぞれ対応するバッファから、伝送方式に応じたデータをフレームごとに読み出すことができるため、データの欠損を防ぐことができる。
【０１５７】
［再送信用放送波の生成］
放送波生成部１６は、クロック調整用バッファ２４から読み出したフレームを変調して再送信用放送波を生成する。
【０１５８】
より詳細には、放送波生成部１６は、ＶＣＯ１８から受けたクロックすなわちクロック再生部１７によって再生されたクロックを用いて、たとえば、クロック調整用バッファ２４から読み出したフレームに含まれる伝送ＴＭＣＣ情報に従って、当該フレームの変調処理を行う。
【０１５９】
そして、放送波生成部１６は、変調後のフレームの周波数をたとえば加入者網１０に対応する周波数に変換して再送信用放送波を生成する。
【０１６０】
これにより、放送波生成部１６は、衛星放送波に含まれるフレームの送信クロックの周波数と同じ周波数のクロックのタイミングに従う再送信用放送波であってフレームの構成が衛星放送波に含まれるフレームと同じ再送信用放送波を生成することができる。すなわち、放送再送信装置１０１において、放送の同一性が確保される。
【０１６１】
そして、放送波生成部１６は、生成した再送信用放送波をたとえば加入者網１０を介して各加入者宅１５２へ送信する。
【０１６２】
［動作の流れ］
放送再送信システム３０１における各装置は、メモリを含むコンピュータを備え、当該コンピュータにおけるＣＰＵ等の演算処理部は、以下のフローチャートの各ステップの一部または全部を含むプログラムを当該メモリからそれぞれ読み出して実行する。これら複数の装置のプログラムは、それぞれ、外部からインストールすることができる。これら複数の装置のプログラムは、それぞれ、記録媒体に格納された状態で流通する。
【０１６３】
図１０は、本発明の実施の形態に係る放送再送信装置が伝送方式の切り替えを行う際の動作手順を定めたフローチャートである。
【０１６４】
図１０を参照して、まず、放送再送信装置１０１におけるチューナ１１は、高度広帯域衛星デジタル放送用の放送衛星から送信されたフレームを含む衛星放送波を受けて復調し、フレームの一部または全部を含む復調データを出力する（ステップＳ１０１）。
【０１６５】
次に、放送再送信装置１０１は、チューナ１１から出力された復調データに含まれるフレームの先頭が未検出である場合（ステップＳ１０２でＮＯ）、当該復調データを分析することにより、フレームの先頭を検索する検索処理を行う（ステップＳ１０３）。そして、放送再送信装置１０１におけるチューナ１１は、検索処理と並行して、高度広帯域衛星デジタル放送用の放送衛星から送信された衛星放送波に含まれる次のフレームを含む復調データを出力する（ステップＳ１０１）。
【０１６６】
一方、放送再送信装置１０１は、チューナ１１から出力された復調データに含まれるフレームの先頭を検出済である場合（ステップＳ１０２でＹＥＳ）、当該復調データを通常伝送用バッファ２２および階層伝送用バッファ２３に蓄積する（ステップＳ１０４）。
【０１６７】
次に、放送再送信装置１０１は、検索処理の結果に基づいて、復調データに含まれるＮＴＰデータを検出する（ステップＳ１０５）。
【０１６８】
次に、放送再送信装置１０１は、検出結果に応じて通常伝送方式および階層伝送方式を切り替える（ステップＳ１０６）。
【０１６９】
放送再送信装置１０１は、検出したＮＴＰデータの位置がフレームの先頭であると判定した場合（ステップＳ１０６でＹＥＳ）、通常伝送用バッファ２２からフレームが出力されるようにスイッチ３１を制御する（ステップＳ１０７）。
【０１７０】
次に、放送再送信装置１０１は、通常伝送用バッファ２２から出力されるフレームを変調し、通常伝送方式に従う再送信用放送波を生成する（ステップＳ１０８）。
【０１７１】
次に、放送再送信装置１０１は、生成した再送信用放送波をたとえば加入者網１０を介して各加入者宅１５２へ送信する（ステップＳ１０９）。
【０１７２】
一方、放送再送信装置１０１は、検出したＮＴＰデータの位置がフレームの先頭以外のスロットであると判定した場合（ステップＳ１０６でＮＯ）、階層伝送用バッファ２３からフレームが出力されるようにスイッチ３１を制御する（ステップＳ１１０）。
【０１７３】
次に、放送再送信装置１０１は、階層伝送用バッファ２３から出力されるフレームを変調し、階層伝送方式に従う再送信用放送波を生成する（ステップＳ１１１）。
【０１７４】
次に、放送再送信装置１０１は、生成した再送信用放送波をたとえば加入者網１０を介して各加入者宅１５２へ送信する（ステップＳ１０９）。そして、放送再送信装置１０１におけるチューナ１１は、高度広帯域衛星デジタル放送用の放送衛星から送信された衛星放送波に含まれる次のフレームを含む復調データを出力する（ステップＳ１０１）。
【０１７５】
なお、本発明の実施の形態に係る放送再送信装置では、切り替え部１３は、スイッチ３１を有する構成であるとしたが、これに限定するものではない。切り替え部１３は、スイッチ３１を有しない構成であってもよい。この場合、ストリーム生成部１５は、たとえば、通常伝送方式に従う１または複数のフレームを蓄積するバッファ、および階層伝送方式に従う１または複数のフレームを蓄積するバッファをさらに含む。そして、ＮＴＰ検出部１２は、上述の制御信号を、切り替え部として機能する放送波生成部１６へ出力する。放送波生成部１６は、ＮＴＰ検出部１２から受けた制御信号に従い、フレームを２つのバッファのいずれから読み出すかを選択する。
【０１７６】
また、本発明の実施の形態に係る放送再送信システムでは、階層伝送方式において、低階層ストリームおよび高階層ストリームの変調方式が異なるとしたが、これに限定するものではない。低階層ストリームおよび高階層ストリームは、たとえば、変調方式が同じであって畳み込み符号化率等の誤り訂正方式が異なってもよいし、両方が異なってもよい。
【０１７７】
また、本発明の実施の形態に係る放送再送信システムでは、通常伝送方式および階層伝送方式が採用される構成であるとしたが、これに限定するものではない。放送再送信システム３０１では、通常伝送方式および階層伝送方式に加えて、さらに別の伝送方式が採用される構成であってもよい。
【０１７８】
また、本発明の実施の形態に係る放送再送信システムでは、フレーム構成検索部１９は、複数のフレームを分析することにより検索処理を行う構成であるとしたが、これに限定するものではない。フレーム構成検索部１９は、１つのフレームを分析することにより検索処理を行う構成であってもよい。より詳細には、フレーム構成検索部１９は、たとえば、取得した最初のカウント値Ｖ１を、次に取得するカウント値Ｖ１と比較することなくフレームの長さであると判断してもよい。
【０１７９】
ところで、高度広帯域衛星デジタル放送等の放送波を、ネットワーク経由で加入者宅へ再送信する優れたシステムを構築することが可能な技術が望まれる。
【０１８０】
そこで、本発明の実施の形態に係る放送再送信装置では、チューナ１１は、フレームを含む衛星放送波を受けて復調し、復調データを出力する。衛星放送波では、フレームの伝送方式として、通常伝送方式と、通常伝送方式と比べて耐性の高い階層伝送方式とがあり、フレームの伝送方式がフレームの境界において切り替わり得るものである。フレーム構成検索部１９は、チューナ１１から受けた復調データを分析することにより、フレームの先頭を検索する検索処理を行う。ＮＴＰ検出部１２は、フレーム構成検索部１９による検索処理の結果に基づいて、チューナ１１から受けた復調データに含まれるＮＴＰデータを検出する。切り替え部１３は、ＮＴＰ検出部１２による検出結果に応じて通常伝送方式および階層伝送方式を切り替える。
【０１８１】
このように、フレームの先頭の検索を行う検索処理とともに、ＮＴＰデータの検出を別途行う構成により、検索処理の遂行に律速されることなく、復調データについて通常伝送方式および階層伝送方式を切り替えることができる。これにより、通常伝送方式および階層伝送方式の切り替えに伴うデータ欠損を防ぐことができる。
【０１８２】
したがって、本発明の実施の形態に係る放送再送信装置では、放送波をネットワーク経由で加入者宅へ再送信する優れたシステムを構築することができる。
【０１８３】
また、本発明の実施の形態に係る放送再送信装置では、フレーム構成検索部１９は、チューナ１１から受けた復調データにおける複数のフレームを分析することにより検索処理を行う。
【０１８４】
このように、検索処理に複数フレームの時間を要するフレーム構成検索部１９を備える構成において、検索処理に律速されることなく、復調データについて通常伝送方式および階層伝送方式を切り替えることができるため、通常伝送方式および階層伝送方式の切り替えに伴うフレーム単位のデータ欠損を防ぐことができる。
【０１８５】
また、本発明の実施の形態に係る放送再送信装置では、さらに、通常伝送方式におけるフレームを蓄積するための通常伝送用バッファ２２と、階層伝送方式におけるフレームを蓄積するための階層伝送用バッファ２３とを備える。チューナ１１から出力される復調データは、通常伝送用バッファ２２および階層伝送用バッファ２３に並行して書き込まれる。切り替え部１３による切り替え対象は、通常伝送用バッファ２２および階層伝送用バッファ２３からの読み出しデータである。
【０１８６】
このような構成により、ＮＴＰデータの検出結果を用いた各バッファからのデータ読み出しの切り替えを、当該検出対象のフレームから切り替え可能な適切なハードウェア構成を実現することができる。
【０１８７】
また、本発明の実施の形態に係る放送再送信装置では、放送の同一性が確保される。
【０１８８】
このような構成により、放送の同一性を確保する放送再送信装置１０１において、通常伝送方式および階層伝送方式の切り替えに伴うデータ欠損を防ぐことができる。
【０１８９】
また、本発明の実施の形態に係る放送再送信装置における通信制御方法では、まず、チューナ１１により出力された復調データを分析することにより、フレームの先頭を検索する検索処理を行う。次に、検索処理の結果に基づいて、出力した復調データに含まれるＮＴＰデータを検出する。次に、検出結果に応じて通常伝送方式および階層伝送方式を切り替える。
【０１９０】
このように、フレームの先頭の検索を行う検索処理とともに、ＮＴＰデータの検出を別途行う構成により、検索処理の遂行に律速されることなく、復調データについて通常伝送方式および階層伝送方式を切り替えることができる。これにより、通常伝送方式および階層伝送方式の切り替えに伴うデータ欠損を防ぐことができる。
【０１９１】
したがって、本発明の実施の形態に係る通信制御方法では、放送波をネットワーク経由で加入者宅へ再送信する優れたシステムを構築することができる。
【０１９２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１９３】
以上の説明は、以下に付記する特徴を含む。
［付記１］
高度広帯域衛星デジタル放送に用いられる放送再送信装置であって、
フレームを含む衛星放送波を受けて復調し、復調データを出力するチューナを備え、
前記衛星放送波では、前記フレームの伝送方式として、通常伝送方式と、前記通常伝送方式と比べて耐性の高い階層伝送方式とがあり、前記フレームの伝送方式が前記フレームの境界において切り替わり得るものであり、
前記放送再送信装置は、さらに、
前記チューナから受けた前記復調データを分析することにより、前記フレームの先頭を検索する検索処理を行うフレーム構成検索部と、
前記フレーム構成検索部による前記検索処理の結果に基づいて、前記チューナから受けた前記復調データに含まれるＮＴＰデータを検出するＮＴＰ検出部と、
前記ＮＴＰ検出部による検出結果に応じて前記通常伝送方式および前記階層伝送方式を切り替える切り替え部と、
前記通常伝送方式における前記フレームのデータ量に応じた量のデータを蓄積する通常伝送用バッファと、
前記階層伝送方式における前記フレームのデータ量に応じた量のデータを蓄積する階層伝送用バッファとを備え、
前記チューナは、前記通常伝送方式の前記衛星放送波および前記階層伝送方式の前記衛星放送波を判別して復調可能であり、かつ前記衛星放送波および前記階層伝送方式の判別結果を出力せず、
前記フレーム構成検索部は、前記フレームに含まれる、前記ＮＴＰデータおよび番組の情報に基づいて前記検索処理を行い、
前記フレーム構成検索部は、前記チューナから受けた前記復調データにおいて時間的に連続する複数の前記フレームを分析することにより前記検索処理を行う、放送再送信装置。
【符号の説明】
【０１９４】
１０  加入者網
１１  チューナ
１２  ＮＴＰ検出部
１３  切り替え部
１５  ストリーム生成部
１６  放送波生成部
１７  クロック再生部
１８  ＶＣＯ
１９  フレーム構成検索部
２１  記憶部
２２  通常伝送用バッファ
２３  階層伝送用バッファ
２４  クロック調整用バッファ
３１  スイッチ
８１  外部アンテナ
１０１  放送再送信装置
１３１  ＳＴＢ
１３３  ＴＶモニタ
１５１  局舎
１５２  加入者宅
【図１】
2020088518.tif 000003
【図２】
2020088518.tif 000004
【図３】
2020088518.tif 000005
【図４】
2020088518.tif 000006
【図５】
2020088518.tif 000007
【図６】
2020088518.tif 000008
【図７】
2020088518.tif 000009
【図８】
2020088518.tif 000010
【図９】
2020088518.tif 000011
【図１０】
2020088518.tif 000012